(57)【要約】本発明は電源または熱印加の可否に従って光を透過または遮断する光遮断装置を用いた広告装置を提供する。電源または熱を印加すると光透過状態になり、電源または熱を遮断すると所定の明るさ以下の光が遮断される光遮断状態になったり、またはその逆作動の光開閉装置と、前記所定の明るさより明るい光で映像を照射する照射装置とからなる。光開閉装置は建築物のガラス窓で用いられ、その光開閉装置にプロジェクタなどの光を照射する照射装置を用いて映像物の広告ができるので、建築物の内外部の広告手段として用いられることができる。
2004522211.tif 000002
【特許請求の範囲】
【請求項１】
電源または熱を供給する場合に光透過状態にし、電源または熱を遮断すると所定の明るさ以下の光が遮断される光遮断状態にするか、または
その逆に動作する光開閉装置と、
前記所定の明るさより明るい光で映像を照射する照射装置
とを備えた光開閉装置を用いた広告装置。
【請求項２】
前記光開閉装置は、電源−ＯＮ状態では光が透過されて透明なガラス窓で用いられ、電源−ＯＦＦ状態では光が遮断されて遮断膜で用いられることを特徴とする請求項１記載の光開閉装置を用いた広告装置。
【請求項３】
前記光開閉装置は、熱を加えると光が透過されて透明なガラス窓で用いられ、熱を除去すると光が遮断されて遮断膜で用いられることを特徴とする請求項１記載の光開閉装置を用いた広告装置。
【請求項４】
前記光開閉装置は、ポリマーと液晶を混合して用いるポリマー液晶ディスプレイ装置であることを特徴とする請求項２記載の光開閉装置を用いた広告装置。
【請求項５】
前記光開閉装置は、ポリマーを用いることを特徴とする請求項２記載の光開閉装置を用いた広告装置。
【発明の詳細な説明】
【０００１】
［技術分野］
本発明は電源または熱印加の可否に従って光を透過または遮断する光開閉装置を用いた広告装置に関するもので、より詳しくは電源または熱印加の可否に従って選択的に可視光線を散乱または透過させる特性を有する光開閉装置を建築物のガラス窓または遮断膜で用い、そのガラス窓または遮断膜に映像を照射して広告板で用いることができる広告装置に関する。
【０００２】
［背景技術］
一般的に建築物などの屋外広告では、発光ダイオードを用いる大型電光板、またはネオンサインを用いる看板などの形態で広告をしている。
【０００３】
このような大型電光板を用いた屋外広告の場合には、室内のテレビのような動映像広告ができるので、消費者に多様な広告を提供することができるし、ネオンサインを用いた看板などの屋外広告の場合には、ネオンサインの色、文字の形態などの点灯順序を制御して多様な形態の広告をすることができる。
【０００４】
しかしながら、このような大型電光板とか看板を用いる広告は建築物の外部に設置されるものですからその設置に多い脆弱があって容易ではないし、建築物の外部の大きい嵩を必要とする。さらに、大型電光板とか看板は建築物の外部に設置されるので、建築物の美観を害することができるし、道路上に設置されていてその設置で行人に不便を来すこともできる。また、他の電光板とか看板が既に設置されていると追加の設置ができない問題点がある。
【０００５】
そして、大型電光板の場合には、動映像などを用いて多様な広告をすることができるが、その設置に多い費用が掛かって非経済的であるし、看板の場合には、定める枠だけに広告ができるので、既に定める枠以外の広告はできないし、大型電光板のような動映像を用いた広告は実現することができない。
【０００６】
また、既に広告をしている広告物を他の広告物に替える場合には、掲示されている看板を撤去してまた看板を制作したり、プログラムを交替してまた広告をしなければならないので、広告物の交替に多い費用が消費され、使用できる広告物を撤去するので、資源が浪費される問題点がある。
【０００７】
一方、建築物の内部にも様々な広告物を掲示している場合は多いが、建築物の内部の場合には通路が狭くなって通行に不便を来すなど、その設置場所の空間問題があるし、また屋外広告のように設置および撤去に多い費用が掛かる問題点がある。
【０００８】
［発明の開示］
本発明は前記のような従来技術の問題点を解決するためのもので、電源または熱印加の可否に従って可視光線を散乱または透過させる特性を有する光開閉装置を建築物のガラス窓または遮断膜で用い、そのガラス窓または遮断膜に映像を照射して広告板で用いる広告装置を提供するものをその目的とする。
【０００９】
前記目的を達成するために、本発明の光開閉装置を用いた広告装置は、電源または熱を印加すると光透過状態になり、電源または熱を遮断すると所定の明るさ以下の光が遮断される光遮断状態になる光開閉装置と前記所定の明るさより明るい光で映像を照射する照射装置とからなる。
【００１０】
前記光開閉装置は、電源−ＯＮ状態では光が透過されて透明なガラス窓で用いられ、電源−ＯＦＦ状態では光が遮断されて遮断膜で用いられることができる。
また、前記電源の印加の代りに熱を加えて光の透過および遮断を達成することができる。
【００１１】
本発明では前記光開閉装置として、ポリマーと液晶を混合して用いるポリマー液晶ディスプレイを用いることができるし、また熱または電気により光を透過および遮断することができるポリマーを用いた光開閉装置を用いることもできる。
【００１２】
［発明の詳細な説明］
以下、本発明を添付図面を参照して望ましい実施例を通じてより具体的に説明する。
【００１３】
本実施例では光開閉装置として液晶ディスプレイを用い、このような液晶ディスプレイは電源−ＯＮ状態では可視光線を透過させて透明な状態になり、電源−ＯＦＦ状態では可視光線を散乱させて不透明な状態になる。または、電源−ＯＮ状態で可視光線を散乱させて不透明な状態になったり、電源−ＯＦＦ状態で可視光線を透過させて透明な状態になる逆方式を用いて、どちらの状態でも作動されることができる。
【００１４】
図１は電源の印加の可否に従って光を透過または遮断する本発明の光開閉装置を用いて広告する広告装置の構成図である。
【００１５】
図１に示したように、本発明の広告装置は電源印加の可否に従って光を透過または遮断する光開閉装置１００、光開閉装置に映像を照射する照射装置１１０および光開閉装置１００に電源を印加する電源部１２０とからなる。
【００１６】
前記光開閉装置１００としては、電源部１２０の電源の供給に従って光を通過させると光開閉装置１００が透明な状態になり、光を散乱させると光開閉装置１００が不透明な状態になる、ポリマーと液晶とを混合して用いるポリマー液晶ディスプレイを用いることができる。
【００１７】
前記映像を照射する照射装置１１０としては、一般的に用いられるプロジェクタを用いることができるし、照射装置１１０と用いられるプロジェクタは日常生活でスライド、ビデオなどの様々な映像を照射することができるので、広告主は多様な広告物を構成して広告をすることができる。
【００１８】
前記ポリマー液晶ディスプレイを光開閉装置１００として用いて電源を印加する場合には、液晶とポリマーの配列方向が一致して光が透過するので、光開閉装置１００をそのまま建築物の窓で設置すると外部が見えるガラス窓の役割をすることができる。
【００１９】
また、ポリマー液晶ディスプレイは電源−ＯＦＦ状態では、液晶分子の屈折率とポリマーの屈折率が互いに一致ではなくて光を散乱させるので、ポリマー液晶ディスプレイは白くて濁っているようになってガラス窓の外部が見えない状態になり、本発明の光開閉装置１００を実内に設置する場合には遮断膜の役割をすることができる。
【００２０】
一方、本発明の光開閉装置を用いた広告装置は車両などの移動手段に設置して移動しながら広告をすることもできる。
【００２１】
次に、本発明の光開閉装置１００を用いた広告方法に対して説明する。
【００２２】
本発明の光開閉装置は、電源−ＯＦＦ状態で照射装置１１０を用いて広告物の映像を光開閉装置１００に照射して建築物の窓を通じて外部に広告することができる。即ち、電源−ＯＦＦ状態では、光開閉装置１００が白くて濁っているようになってガラス窓で外部が見えない状態になる同時に、この光開閉装置１００に照射装置１１０を用いて広告物の映像を照射すると、液晶分子の長軸の捩じれた角度により光が散乱されるので、光開閉装置１００に映像を投影して広告板で用いることができる。
【００２３】
前記照射装置１１０で照射される広告物の映像を入れた強い光はポリマー液晶ディスプレイを形成する液晶分子の間を散乱しながら通過し、建築物の内に照射される光は光開閉装置１００を通過できないので、光開閉装置１００を通過した広告物の映像が建築物の外にいる人に投影されて外部で広告物の映像を見えるようになる。また、建築物の内部に設置して内部で広告物の映像を見えるようになることもできる。
【００２４】
図２は本発明のポリマー液晶ディスプレイ（Ｐｏｌｙｍｅｒ Ｌｉｑｕｉｄ Ｃｒｙｓｔａｌ Ｄｉｓｐｌａｙ）を現す断面図である。
【００２５】
図２を参照して説明すると、液晶ディスプレイ１００は末端の周りが封止され、スペーサ１０３によって互いに離間された二つのガラス板１０１から構成される。前記ガラス板１０１は透明電極を形成するインジウム−すず酸化物などに被覆される。そして、スペーサ１０３によって互いに離間されたガラス板１０１の内側にはポリマーと混合された液晶物質１０２またはポリマーが充填される。
【００２６】
本発明では前記ガラス板１０１の代りに、透明性を有するアクリル樹脂などの合成樹脂のような固体物質を用いたフィルム状の基板を用いることもできる。
【００２７】
前記ポリマー液晶ディスプレイ１００は、液晶相の有効屈折率をポリマーの屈折率と同一にさせるか、または異なるようにさせて高透過率および所望の視野角（Ｖｉｅｗｉｎｇ Ａｎｇｌｅ）を得るので、ポリマー液晶ディスプレイと合体されている窓などが透明あるいは不透明にすることができる。
【００２８】
本発明のポリマー液晶ディスプレイ１００は、ポリマー分散液晶物質（Ｐｏｌｙｍｅｒ Ｄｉｓｐｅｒｓｅｄ Ｌｉｑｕｉｄ Ｃｒｙｓｔａｌ）とポリマーと組み合わされた液晶物質（Ｐｏｌｙｍｅｒ Ａｓｓｅｍｂｌｅｄ Ｌｉｑｕｉｄ Ｃｒｙｓｔａｌ）を用いることができる。
【００２９】
例えば、前記ポリマーと組み合わされた液晶物質としては、永久双極子を有して巨視的に自発分極を有する強誘電性（Ｆｅｒｒｏｅｌｅｃｔｒｏｎｉｃ）液晶および反強誘電性（Ａｎｔｉ−Ｆｅｒｒｏｅｌｅｃｔｒｏｎｉｃ）液晶とポリマーを混合したり、ネマチック（Ｎｅｍａｔｉｃ）液晶とポリマーを混合して得られるポリマーと組み合わされた液晶を用いることができる。
【００３０】
本発明で用いられる光開閉装置１００は、前記に説明されたポリマー液晶ディスプレイ１００に限定されるものではなく、様々な方法で、例えば、熱または電気を加えることにより光が透過されて透明なガラス状態になり、熱または電気を除去することにより光が遮断されて遮断膜になる、熱または電気を用いた光開閉装置、またはその逆の動作による光開閉装置を用いることもできる。
【００３１】
以上のように本発明の光開閉装置を用いた広告装置は、光開閉装置を建築物の外部ガラス窓で用い、その光開閉装置にプロジェクタなどの光を照射する照射装置を通じて映像物の広告ができるので、建築物の内外部の広告手段として用いることができる。
【００３２】
また、建築物に特別な装置を設置する必要なくて広告ができるし、建築物の窓を用いるので建築物の美観を害する恐れがないし、電光板とか看板より設置が容易であり、広告内容を易しく交替することができるので、電光板とか看板のように広告内容の変更に費用が掛からないし、一回の設置で半永久的に用いることができるので、広告主の経済的負担を切り詰めることができる。
【００３３】
また、プロジェクタなどの光を照射する照射装置で多様な模様または動映像などの広告を照射することができるので、従来の一定な形態のみを現す看板より多様な広告を構成して広告することができるし、独特な広告を用いて建築物の外観が他の建築物に比べて差別性を有して消費者に対する認知度を高めて広告効果を高めることができる。
【００３４】
［産業上の利用可能性］
また、本発明の光開閉装置は、電源−ＯＮ状態では窓が透明になって外部を眺望することができるし、電源−ＯＦＦ状態では窓が不透明になるので（または、その逆作動含み）、別途の建築物の窓を設置する必要がない。そして、建築物の内部で用いる場合には、建築物の内部の一部を遮断する遮断膜で用いる広告板あるいはホーム劇場スクリーン（ｔｈｅａｔｅｒ ｓｃｒｅｅｎ）として設置して用いることができる。
【００３５】
また、本発明の光開閉装置は、結ばれた映像を表面の透明ガラス板を通じて前後（あるいは建築物の内外部）で同時に見える両面スクリーンに活用することができる。
【００３６】
以上、本発明を望ましい実施例を挙げて記述したが、これは説明のためのもので、本発明は前記の請求範囲の技術的思想および範囲から離脱されなくて様々な変更および変化が加わるもので理解されるべきである。
【図面の簡単な説明】
【図１】
電源の印加の可否に従って光を透過または遮断する、本発明の光開閉装置を用いて広告する広告装置の構成図である。
【図２】
本発明の光開閉装置として用いられるポリマー液晶ディスプレイを現す断面図である。
【国際公開パンフレット】
2004522211.tif 000003
2004522211.tif 000004
2004522211.tif 000005
2004522211.tif 000006
2004522211.tif 000007
2004522211.tif 000008
2004522211.tif 000009
2004522211.tif 000010
2004522211.tif 000011
2004522211.tif 000012
2004522211.tif 000013
2004522211.tif 000014
2004522211.tif 000015
2004522211.tif 000016
【国際調査報告】
2004522211.tif 000017
2004522211.tif 000018